(57)【特許請求の範囲】
【請求項１】
少なくとも２枚のプラスチック板を貼着して形成された環状積層体からなり、中央部に貫通孔を有して竹刀又は木刀の刀身部と柄部との境目に取り付けられる竹刀用又は木刀用の鍔であって、前記２枚のプラスチック板の間には平面模様、凹凸模様、色彩又はこれらの結合からなるデザイン部が設けられていると共に、これら２枚のプラスチック板のうちの少なくともいずれか一方が前記デザイン部を透視できる透明プラスチック板であることを特徴とする竹刀用又は木刀用の鍔。
【請求項２】
デザイン部は、２枚のプラスチック板の貼り合せ面のいずれか一方又は双方に施されている請求項１に記載の竹刀用又は木刀用の鍔。
【請求項３】
２枚のプラスチック板が熱接着性フィルムによって貼着されている請求項１又は２に記載の竹刀用又は木刀用の鍔。
【請求項４】
環状積層体が２枚のプラスチック板とこれら２枚のプラスチック板の間に介装された中間層とで構成されている請求項１に記載の竹刀用又は木刀用の鍔。
【請求項５】
デザイン部は、中間層と透明プラスチック板の貼り合せ面のいずれか一方又は双方に施されている請求項４に記載の竹刀用又は木刀用の鍔。
【請求項６】
２枚のプラスチック板がいずれも透明プラスチック板である請求項４又は５に記載の竹刀用又は木刀用の鍔。
【請求項７】
中間層が、天然皮革、人工皮革、織布、不織布、プラスチック、ゴム、合成紙、樹脂含浸紙、樹皮及び竹皮からなる群から選ばれた１種又は２種以上の材料で形成された単層体又は２層以上の複層体である請求項４〜６のうちいずれかに記載の竹刀用又は木刀用の鍔。
【請求項８】
単層体又は複層体からなる中間層が耐溶剤性合成樹脂板を含み、この耐溶剤性合成樹脂板に平面模様及び／又は色彩からなるデザイン部が印刷されている請求項７に記載の竹刀用又は木刀用の鍔。
【請求項９】
中間層が、天然皮革又は人工皮革とこれら以外の材料で形成された複層体である請求項７又は８に記載の竹刀用又は木刀用の鍔。
【請求項１０】
中間層とプラスチック板との間が熱接着性フィルムによって貼着されている請求項４〜９のいずれかに記載の竹刀用又は木刀用の鍔。
【請求項１１】
２枚のプラスチック板が互いに略々等しい物性の材料からなる請求項１〜１０のいずれかに記載の竹刀用又は木刀用の鍔。
【請求項１２】
平面模様及び／又は色彩からなるデザイン部が、透明プラスチック板及び／又は中間層に対する昇華印刷によって設けられている請求項１〜１１のいずれかに記載の竹刀用又は木刀用の鍔。
【請求項１３】
透明プラスチック板は、その外側面に凹凸模様が施されている請求項１〜１２のいずれかに記載の竹刀用又は木刀用の鍔。
【請求項１４】
環状積層体は、その一方の面が略々茶色に視認され、また、他方の面には茶色以外のデザイン部が視認される請求項１〜１３のいずれかに記載の竹刀用又は木刀用の鍔。
【発明の詳細な説明】
【技術分野】
【０００１】
この発明は、剣道の竹刀又は木刀の刀身部と柄部との境目に取り付けられる竹刀用又は木刀用の鍔に関する。
【背景技術】
【０００２】
剣道の竹刀や木刀（以下、「竹刀等」という。）に用いられる鍔は、中央部に竹刀等の柄部を通す貫通孔を有して竹刀等の刀身部と柄部との境目に取り付けられる環状盤体からなり、柄部を握る手を保護するもので、竹刀等の打具による衝撃に耐える強度が必要であり、通常は３〜８mm程度の厚さを有している。
【０００３】
そして、剣道の竹刀等に用いられる鍔の材質としては、一般に、牛皮製の他、プラスチック製、軽金属製等が用いられている。
しかしながら、牛皮製の鍔は、耐衝撃性に富むので竹刀等の鍔としては昔から多用されているが、天然物であるために厚目の鍔は品薄で高価であるという問題があり、反対に、薄目の鍔は変形し易く、耐衝撃性に劣るという問題がある。また、プラスチック製の鍔は、安価ではあるが耐衝撃性に劣り、耐久性に欠け、また、安価であるだけに安物のイメージがあって有段者には好まれない傾向がある。更に、軽金属製の鍔は衝撃により変形するという問題がある。そして、一般に、これら牛皮製、プラスチック製、軽金属製等の鍔は、表面に何のデザインも無く、面白みに欠けるという問題もある。
【０００４】
一方、鍔にデザイン性を付与する手段としては、特許文献１に記載のように、種類の異なる天然皮革を貼り合わせたものが提案されているが、デザインの種類が天然皮革由来の僅かなものに限定されるほか、接着に対する考慮がなされず、耐衝撃性が小さくて容易に剥離するという問題がある。
【０００５】
また、仮に、皮革製やプラスチック製の鍔の表面にシルク印刷等の手段でデザインを施したり、あるいは、漆やエナメル等を塗布したりしても、この鍔には使用中に対戦相手からの打撃や鍔迫り合いによる衝撃、摩擦、振動等が激しく作用するので、容易に剥げ落ちたり、あるいは、磨耗等によって容易に消滅してしまう。
【０００６】
【特許文献１】実公昭57-19,165号公報
【発明の開示】
【発明が解決しようとする課題】
【０００７】
そこで、本発明者は、このような従来の竹刀等の鍔が有する種々の問題点を解消し、耐衝撃性や耐久性に富むと共に、使用中に摩滅することのない種々の紋様を施すことが可能で、基本的に非常に地味で厳格な剣道様式の中に、若干の楽しみや個性を持たせることができるだけでなく、更には、必用により剣道人が最も好む皮鍔の雰囲気を継承することもできる新たな竹刀等の鍔を提供することについて検討した結果、竹刀等の鍔を少なくとも２枚のプラスチック板を貼着した環状積層体で構成し、これら２枚のプラスチック板の貼り合せ面に平面模様、凹凸模様、色彩又はこれらの結合からなるデザイン部を設けると共に、２枚のプラスチック板のうちの少なくともいずれか一方を前記デザイン部を透視できる透明プラスチック板で構成することにより、目的を達成できることを見出し、本発明を完成した。
【０００８】
従って、本発明の目的は、従来の竹刀等の鍔が有する種々の問題点を解消し、耐衝撃性や耐久性に富むと共に、使用中に摩滅することのない種々の紋様を施すことが可能で、基本的に非常に地味で厳格な剣道様式の中に、若干の楽しみや個性を持たせることができるだけでなく、更には、必用により剣道人が最も好む皮鍔の雰囲気を継承することもできる新たな竹刀用又は木刀用の鍔を提供することにある。
【課題を解決するための手段】
【０００９】
すなわち、本発明は、少なくとも２枚のプラスチック板を貼着して形成された環状積層体からなり、中央部に貫通孔を有して竹刀又は木刀（竹刀等）の刀身部と柄部との境目に取り付けられる竹刀用又は木刀用の鍔であって、前記２枚のプラスチック板の間には平面模様、凹凸模様、色彩又はこれらの結合からなるデザイン部が設けられていると共に、これら２枚のプラスチック板のうちの少なくともいずれか一方が前記デザイン部を透視できる透明プラスチック板であることを特徴とする竹刀用又は木刀用の鍔である。
【００１０】
本発明において、竹刀等の鍔を構成する環状積層体は、２枚のプラスチック板のみで構成されていてもよく、また、これら２枚のプラスチック板とこれら２枚のプラスチック板の間に介装された中間層とで構成されていてもよい。そして、この中間層については、それが単一の材料で形成された単一の層からなる単層体であっても、また、１種又は２種以上の材料で形成された２層以上の層からなる複層体であってもよい。
【００１１】
そして、上記環状積層体を形成する２枚のプラスチック板については、中央部に竹刀等の柄部を通す貫通孔を有すると共に、使用中には竹刀等により頻繁に強い衝撃が作用するので、この強い衝撃に耐えられるだけの強度と耐久性が求められ、また、これら２枚のプラスチック板のうちの少なくとも１枚は、デザイン部を透視できるように、透明プラスチック板で構成される。そこで、これら２枚のプラスチック板において、少なくともその１枚については耐衝撃性及び耐久性と透明性とに優れていることが求められるが、このような透明プラスチック板としては、例えば、ポリカーボネート（ＰＣ）、ポリ塩化ビニール（ＰＶＣ）、ポリプロピレン（ＰＰ）、アクリロニトリル・ブタジエン・スチレン（ＡＢＳ）、ナイロン（ポリアミド）、アクリル（ＰＭＭＡ）、エチレンビニルアルコール共重合体（ＥＶＯＨ）、ポリエチレンテレフタレート（ＰＥＴ）、非晶質ＰＥＴ（Ａ−ＰＥＴ）、強重合ＰＥＴ（ＰＥＴＧ）、セルロイド、キャブロイド（ＣＡＢ）、トリアセチルセルロース（ＴＡＣ）、プロピオネート等の熱可塑性樹脂による透明板を挙げることができ、耐衝撃性、耐久性及び透明性が何れも顕著に優れていることから、特に好ましくはＰＣ（ポリカーボネート）樹脂製の透明板（以下、「ＰＣ透明板」という。）である。
【００１２】
また、上記環状積層体を形成する２枚のプラスチック板において、透明であることを必要としないプラスチック板については、それが使用中の強い衝撃に耐えられるだけの強度と耐久性があればよく、このようなプラスチック板としては、例えば、ポリエチレン（ＰＥ）、ポリプロピレン（ＰＰ）、ポリ塩化ビニール（ＰＶＣ）、アクリロニトリル・ブタジエン・スチレン（ＡＢＳ）、ポリカーボネート（ＰＣ）、ナイロン（ポリアミド）、アクリル、ポリエチレンテレフタレート（ＰＥＴ）、ポリブチレンテレフタレート（ＰＢＴ）、キャブロイド、プロピオネート、ウレタン等の熱可塑性樹脂や、メラミン、フェノール、ポリエステル、エポキシ等の熱硬化性樹脂のほか、これらの繊維強化プラスチック等による無着色板、着色板、又は、半着色板等を挙げることができ、その成形性と着色性等の観点から、好ましくはＰＥ、ＰＰ、ＰＶＣ、ＡＢＳ、ＰＣ、ナイロン、ＰＢＴ等である。
【００１３】
更に、この環状積層体を構成する２枚のプラスチック板については、積層に際する加熱や成形後の温度変化等によるプラスチックの熱的挙動のバランスを一定に保つという観点から、好ましくは互いに略々等しい物性の材料であるのがよく、また、貼着されて環状積層体を形成した際にこの環状積層体に反り返りが発生するのを確実に防止するという観点から、より好ましくは、２枚のプラスチック板の厚さを等しい厚さにするのがよい。
【００１４】
更にまた、これら２枚のプラスチック板については、好ましくはその外表面に凹凸模様を形成することが好ましい。凹凸模様は、好ましくは艶消し状の艶消し効果を有する凹凸模様とすることがよい。これは、剣道の試合等で対戦相手に対する面上の光反射を軽減して不利とさせないためである。凹凸模様の形態としては、例えば、古来からの皮鍔状の凹凸模様、皮シボ模様、布目模様、エンボス模様等の凹凸模様が好ましく、いずれも艶消し効果を有する凹凸模様であるため、より皮鍔に近い雰囲気を持たせることができるうえ、同時に面上の光反射を軽減する効果もある。更に、より凹凸状態の強い彫刻模様によるデザインを施したり、文字、紋様、模様、商標等の凹凸模様、更に、これらと上記模様を複合した凹凸模様等を形成することによって、更に多様なデザイン性をも付与することができる。なお、これら２枚のプラスチック板については、好ましくはその外表面にシリコン系、メラミン系等の公知のハードコート処理を施すのがよく、これによって竹刀等の打撃により表面に繰返し衝撃が作用しても、擦り傷等の発生を可及的に防止することができ、傷付き防止の効果が高く耐久性を更に向上させることができる。
【００１５】
更に、これら２枚のプラスチック板の板厚については、耐衝撃性だけの観点からすれば、これら２枚のプラスチック板を高硬度で薄板状のプラスチック板で構成すると共に、中間層を形成する２層以上の複層体の材料として同じ高硬度で薄板状のプラスチック板を使用し、これらを比較的柔軟性のある接着剤によって貼着し積層することにより、接着剤層が緩衝効果や耐衝撃効果を発揮すると共に打撃等により表面に発生した傷の進行を食い止める効果を発揮するので好ましいが、反面、コスト高になるので、好ましくは比較的厚みを持たせるのがよく、好ましくは片面のプラスチック板が１．５mm以上６mm以下、より好ましくは２mm以上４mm以下であって、鍔を構成する環状積層体の全体の厚さ（３〜８mm程度）に対して概ね２０%以上６０%以下、好ましくは２５%以上５０%以下であるのがよい。
【００１６】
次に、上記２枚のプラスチック板の間に介装される中間層を形成する材質については、２枚のプラスチック板の間においてこれら２枚のプラスチック板と共に強固に貼着可能なものであれば特に制限されるものではないが、好ましくは天然皮革、人工皮革、織布、不織布、板状又はフィルム状であって透明又は不透明なプラスチック、透明又は不透明なセロファンフィルム、板状又はフィルム状のゴム、合成紙、樹脂含浸紙、樹皮及び竹皮等からなる群から選ばれた１種又は２種以上の材料を挙げることができ、これらは中間層が単層体か複層体か、２枚のプラスチック板の材質が何か、２枚のプラスチック板の貼り合せ面に設けられるデザイン部が何か、等を考慮して適宜決定することができる。また、この単層体又は複層体からなる中間層については、この単層体又は複層体を構成する層の全ての層を又は一部の層を透明な材料で形成し、透明プラスチック板とこれら透明な層を介してデザイン部を透視できるようにしてもよく、これによってデザイン部に立体感を持たせたり、より複雑なデザイン部を構成する等、デザイン部の設計の幅が拡がる。また、デザイン部について、２枚のプラスチック板の間に介装された中間層自体が持つ平面模様、凹凸模様、色彩等を透視できるようにしてこの中間層自体をデザイン部としてもよく、更に、中間層の貼り合せ面にデザイン的処理を施してデザイン部としてもよい。
【００１７】
また、２枚のプラスチック板の間に中間層を介装することによって、形成される環状積層体の耐衝撃性が大幅に改善され、また、中間層を複層体で構成することによって更に環状積層体の耐衝撃性が改善される。この際に、中間層を形成する材料として緩衝効果を有するものを選択してもよく、更に、中間層の材料を選択することにより、環状積層体を形成する各層が衝撃、摩擦によって容易に剥離するのを防止する剥離防止効果の発現も期待できる。
【００１８】
そして、上記２枚のプラスチック板の間やこれら２枚のプラスチック板と単層体又は複層体からなる中間層との間の貼着は、これらの層間を強固に貼着することができ、また、これらいずれかの貼り合せ面に設けられるデザイン部を、透明プラスチック板を介して、透視するのを妨げない手段であれば特に制限はなく、例えば、常温では乾式のフィルム状であって加熱により溶融して接着性を呈する熱接着性フィルム、エポキシ系接着剤等の熱硬化性接着剤、ゴム系接着剤、アクリル樹脂系接着剤等の採用による任意の接着方法を挙げることができるが、加熱、加圧するだけで容易に能率よく貼着することができて貼着作業性に優れ、接着剤の付着汚染もなく、また、シルク印刷等のデザイン部に対して滲みや流れ等を起こすことがないので、好ましくは熱接着性フィルムによる貼着である。
【００１９】
この熱接着性フィルムとしては、熱可塑性のものや熱硬化性のもの等、公知でいずれの種類の熱接着性フィルムをも使用することができるが、耐衝撃性を付与するという観点からは、特に軟質の熱可塑性樹脂による熱接着性フィルムであることが好ましい。これらの例としては、ＥＶＡ（エチレン酢酸ビニル共重合）系樹脂、ウレタン系樹脂、ナイロン系樹脂、アクリル系樹脂、ポリエステル系樹脂、ＰＥ系樹脂等に代表されるフィルム状の熱可塑性接着剤による熱接着性フィルムが好ましく適用できる。熱可塑性樹脂は化学的にも安定しており、溶剤系の組成成分も含まず、経時変化等による硬化又は劣化等の現象を起こすことがなく、接着性能の耐久性が優れるものとなる。
【００２０】
また、熱接着性フィルムとして透明性が求められる場合には、これを可能とするＥＶＡ系、ウレタン系、ナイロン系、アクリル系の樹脂による透明な熱接着性フィルムを使用することが好ましい。これらの熱接着性フィルムは透明性に優れるため、プラスチック板、中間層等の各層に使用した環状積層体であっても、透明プラスチック板を通して２枚のプラスチック板の間のデザイン部を良好に透視することができる。とりわけ、ＥＶＡ系樹脂による熱接着性フィルムは、透明性に優れると同時に、各種プラスチックとの接着性にも優れており、また、比較的低温で加熱溶融して被着体の凹凸部に流動するため、被着体の形状を選ばず使用することができると共に、皮革類、織布類に対しても流動浸透して優れた接着性能を有する。更に、ＥＶＡ系樹脂は硬化後も軟質性の樹脂であるため、これにより成形された環状積層体は、接着剤層自体が柔軟性を有するため、繰返しの衝撃作用に対する衝撃緩和作用に優れ、接着剤層での緩衝効果が高まり、衝撃耐久性をより一層向上させることができる。
【００２１】
そして、この熱接着性フィルムの厚さについては、接着剤層により耐衝撃性を付与するという観点からすれば、概ね５０μm以上１０００μm以下、好ましくは１００μm以上５００μm以下であるのがよく、これより厚さが薄いと、接着剤層での衝撃緩和効果が乏しくなり、繰返しの衝撃作用で層間での剥離を起こす虞があり、反対に、これより厚すぎると、衝撃緩和効果は維持できるものの、全体の重量が重くなり過ぎ、また、透明性が求められる場合には透明性が低下して内部のデザインが明瞭に透視できなくなる虞がある。
【００２２】
また、２枚のプラスチック板の貼り合せ面に、あるいは、透明プラスチック板及び／又は中間層に設けられるデザイン部は、平面模様、凹凸模様、色彩又はこれらの結合からなり、また、平面模様や凹凸模様については、特にデザイン的処理を施した絵柄や図柄以外に意味のある又はない文字や数字、あるいはこれらの組合せのほかに、特にデザイン的処理を施していない天然素材や一般素材そのもの自体の形状や模様等も含むものである。この平面模様や凹凸模様については、具体的には、桜の花やトンボ等の絵柄、格子縞や網目等の図柄、家紋、定紋、社章、校章、徽章、文字、格言、氏名、商標等を平面的に、あるいは、凹凸をもって立体的に表わしたあらゆる模様が含まれる。
【００２３】
そして、このデザイン部は、２枚のプラスチック板の間にあって透明プラスチック板を介して透視できる位置に設けられていればよく、竹刀等の鍔を構成する環状積層体が中間層を有しない場合には、２枚のプラスチック板（いずれか一方が透明プラスチック板）の貼り合せ面のいずれか一方又は双方に施され、また、中間層を有する場合には、中間層と透明プラスチック板の貼り合せ面のいずれか一方又は双方に施され、また、２枚のプラスチック板がいずれも透明プラスチック板である場合にはこれら２枚のプラスチック板と中間層の両貼り合せ面のいずれか１つ又は２つ以上の貼り合せ面に施される。このデザイン部は、より好ましくは、竹刀等の鍔を構成する環状積層体について、その一方の面が略々茶色に視認され、また、他方の面には茶色以外のデザイン部が視認されるように施される。
【００２４】
また、２枚のプラスチック板の間に、あるいは、透明プラスチック板と中間層との間に、更には複層体からなる中間層において透明な層と不透明な層との間に、デザイン部を設ける手段についても、例えば、単層体又は複層体からなる中間層に耐溶剤性合成樹脂板を配設し、この耐溶剤性合成樹脂板に平面模様及び／又は色彩からなるデザイン部をシルク印刷等により印刷する方法や、中間層を天然皮革又は人工皮革からなる単層体や天然皮革又は人工皮革とこれら以外の材料で形成された複層体で構成する方法や、透明プラスチック板及び／又は中間層の貼り合せ面に昇華印刷によって平面模様及び／又は色彩からなるデザイン部を設ける方法や、２枚のプラスチック板の間、透明プラスチック板と中間層との間、更には複層体からなる中間層において透明な層と不透明な層との間を貼着する手段として、予め平面模様や色彩等のデザイン部が施された熱接着性フィルムを用いる方法等、種々の方法を例示することができる。
【００２５】
すなわち、剣道における胴肪具の胴台には、その左側上部、若しくは、中央部に、家紋等の紋様が印刷されていることが圧倒的に多い。従って、その紋様と同じ、あるいは、その紋様に一致する紋様を竹刀等の鍔に施すことへの要望が多い。しかるに、家紋等の紋様には、通常、金色、銀色を用いた印刷がなされているが、金銀のメタリツク調の印刷インクには微細な金属粉が混入されており、これらの金属粉が目詰まりの原因になることから、インクジェツトプリンター等の印刷インクには適用されず、例えばシルク印刷等の方法が必要になる。ところが、シルク印刷インク等の印刷インクには、シンナー等の有機溶剤が用いられているため、この紋様を印刷するプラスチック板は耐溶剤性の性質を有することが必要であり、例えば上記のＰＣ透明板は溶剤に触れるとソルベントクラックを発生する可能性がある。従って、このような場合には、例えば耐溶剤性に優れたアクリル樹脂、ＡＢＳ（アクリロニトリルブタジエン）樹脂、ＰＥＴ（ポリエチレンテレフタレート）、ＰＰ（ポリプロピレン）、ＰＥ（ポリエチレン）等の耐溶剤性合成樹脂板と透明性、耐衝撃性、耐擦過性等に優れたＰＣ透明板とを併用するのが望ましく、例えば、２枚のプラスチック板のいずれか一方又は双方をＰＣ透明板とし、これらＰＣ透明板の間に中間層として耐溶剤性合成樹脂板を設け、この耐溶剤性合成樹脂板にデザイン部をシルク印刷する方法や、中間層を２層以上の複層体で構成し、この複層体のいずれかの層を耐溶剤性合成樹脂板又は耐溶剤性合成樹脂フィルムで構成し、この耐溶剤性合成樹脂板又は耐溶剤性合成樹脂フィルムにデザイン部をシルク印刷する方法等を例示することができる。
【００２６】
また、竹刀等の鍔としては、竹刀発祥の時より厚みのある牛皮が使われてきたことから、皮鍔は剣道文化の重要な構成要素であり、剣道家、特に高段者ほど、皮鍔を好む傾向にある。そのため、既存のプラスチック製鍔においても、色合いを牛皮に似せたものがあるが、単に樹脂を調色して色調を似せただけであって、古来の皮鍔の雰囲気を醸し出すには至っておらず、満足できるものではない。そこで、本発明においては、好ましくは、２枚のプラスチック板の貼り合せ面にデザイン部として天然皮革の平面模様及び色彩を印刷したり、あるいは、中間層の単層体又は複層体のいずれかの層材料として、デザイン部を構成する例えば厚みの薄い牛革、鹿革等茶系の色彩の天然皮革、又はクラリーノ（商品名）等の人工皮革、更には外観が茶系色彩の皮革に類似する材料等の皮革類を使用し、このデザイン部を透明プラスチック板を介して透視できるようにし、これによって、透明プラスチック板や透明な熱接着性フィルムとの相関的な屈折率の関係で、特に皮革類を模した茶系の色彩を持つデザイン部を他の色調のものと比較して、より本物の皮鍔の雰囲気を再現するのがよい。そして、この際に、透明プラスチック板の外側面に皮シボ模様等の凹凸模様を形成したり、更にこの透明プラスチック板の外側面に適宜な凹凸模様を形成して艶消し状態にすることによって、より皮鍔の雰囲気を強く醸し出すこともできる。
【００２７】
更に、このような中間層に用いた皮革類の片面、若しくは両面に文字、絵柄等の別のデザイン部を施してもよく、また、中間層を複層体で構成して、その１つの層材料として色調や種類の異なる皮革類を重ねて用いたり、組合わせて用いたりすることもできる。更に、これらの皮革類とデザイン模様の描かれた布地等の異種材料を重ねた複層体を中間層として、２枚の透明プラスチック板の間で積層してもよく、この場合、片面側から見れば皮鍔の雰囲気を持ち、他面側から見ればデザイン模様を有する鍔となるので、剣道文化に見合った皮鍔の雰囲気を失うことなくデザインの多様性を楽しめる鍔とすることができる。
【００２８】
また、このような両面のデザインを違えるようにする手段は、中間層を備えない環状積層体においても可能であり、２枚の透明プラスチック板のそれぞれの貼り合せ面の一方には、天然皮革に似たデザインとなる茶系色彩の印刷を施し、他の一方には、文字、絵柄等のデザインを印刷して積層した鍔であれば、上記同様、片面側から見れば皮鍔の雰囲気であり、他面側から見れば絵柄模様を有する鍔となり、剣道文化に見合った皮鍔の雰囲気を失うことのないデザインの多様性を付することができる。更にまた、中間層を設ける場合において、天然皮革、人工皮革等の皮革類を問わず、１枚の皮革類に所望の形状の型抜きを施し、その抜きあとに、抜きあとの形状に形成した他の色調の異なる皮革類片もしくは異種素材による型抜き片を嵌合せしめて模様を形成すること等、異種材料を組合わせて用いることでもよく、更に多種多様なデザイン性を付与させることもできる。
【００２９】
ここで、中間層によって皮鍔の雰囲気とするに好適な皮革層となり得る材料としては、例えば、天然皮革、人工皮革、織布、不織布、樹皮、竹皮等であり、茶系色彩であればこのままの形態でもよく、あるいは、これらに茶系の色彩を付与することで外観が皮革に類似する皮革類材料として採用できる。また、透明なプラスチック板で積層成形した後に茶系の色彩で皮革類に似た雰囲気となり得る材料としては、例えば、熱硬化性プラスチック板、合成紙、樹脂含浸紙、及びこれらの茶系色彩加工物等が挙げられる。更に、茶系の色彩を持つ皮革類に似せた加工を施すことが可能な材料として、例えば、熱可塑性プラスチック板、ゴム板、プラスチックフィルム、セロファンフィルム、合成紙等が列挙でき、これらに皮革類に似せた加工を施したものが適用できる。そして、これらを皮革層として中間層に採用することにより、古来から使用されている皮鍔の雰囲気を継承した鍔とすることができるので、違和感なく剣道に使用することができ、また、古来の皮鍔と比較して優れた耐久性と実用性を有する竹刀等の鍔とすることができる。
【００３０】
更に、中間層を複層体として構成する場合、上記の皮革層と、これとは異なる異種層との複層体とすることが好ましい。異種層としては、色彩、絵柄、模様、文字、格言、氏名、商標、社章等任意のデザインが施された、若しくは自体に色彩、模様等のデザインを有する材料層であり、皮革層とは異なる目的の異種類の層である。従って、例えば、上記の皮革層と絵柄模様を有する異種層との複層体によって中間層を構成して、両面を透明プラスチック板で構成した環状積層体の鍔の例では、剣道の試合等での華美なデザインを否とする場合には対戦相手に対して皮革層側を向けて装着使用し、通常の練習等では絵柄模様が付された異種層側の面を対戦相手に向けて使用する等、鍔の表裏両面を状況に合わせた使い分け装着ができる利点を有することになり、表裏で使い分け使用可能な竹刀用又は木刀用の鍔を提供できることとなる。
【００３１】
一方、デザイン付与に関し、環状積層体を構成する２枚のプラスチック板の少なくとも一方の、最外層の透明プラスチック板の内側の貼り合せ面に、平面模様、色彩又はこれらの結合からなる所望のデザイン部を施す手段の例として、昇華印刷（サブリメーション）によるものがある。これは、シルク印刷等の単に印刷塗膜を形成してこれをデザインとする通常の印刷とは異なり、昇華印刷は、染料等による昇華性のインキを利用して印刷するものであり、印刷されたデザインが、加熱によって昇華して、透明プラスチック板の表面に僅かながらも浸透し、かつ、染着（定着）することによる。そのため、印刷部表面には印刷塗膜が形成されずして、昇華性のインキが浸透したデザインとなるため、印刷表面での摩擦等により容易にデザインが摩滅することがないという利点がある。また、昇華印刷の手段は、環状積層体を構成するプラスチック板の透明性の有無に関係なく実施でき、例えば不透明のプラスチック板、着色したプラスチック板にも適用でき、更に、中間層を構成する層材料に対しても好適に適用可能である。
【００３２】
ここで、昇華印刷に適するプラスチックの組成としては、上記の昇華性インキが昇華浸透し染着性に優れた樹脂であることが好ましく、例えば、ナイロン、ＰＥＴ（ポリエチレンテレフタレート）、ＰＢＴ（ポリブチレンテレフタレート）、アクリル樹脂、ＰＣ（ポリカーボネート樹脂）、ＡＢＳ樹脂、ＥＶＯＨ（エチレンビニルアルコール共重合体）、ＰＶＣ（ポリ塩化ビニール）、セルロース系樹脂、等の染料染着性に優れた樹脂が好ましく適用でき、これらの樹脂を外層のプラスチック板に採用してもよく、あるいは、これらの樹脂シート、樹脂フィルム等を中間層として採用してもよく、これらに対して昇華印刷を適用することができる。更に、昇華印刷の適用について、ナイロン、ポリエステル、ビニロン、ケブラー（商品名）等の繊維製品に対しても適用でき、これらの繊維による織布、不織布、人工皮革等に対しても好ましい昇華印刷適性を有しており、これらの繊維製品に絵柄模様等のデザインを昇華印刷したものを中間層として好ましく使用できる。更に、昇華印刷は、被印刷物表面に印刷塗膜を形成せず浸透したデザインとなるため、最外層のプラスチック板の外側面の表面印刷に適用しても、使用中の摩擦等で脱落したり摩滅したりすることがないため、これを好ましく適用できる。
【発明の効果】
【００３３】
本発明の竹刀用又は木刀用の鍔は、少なくとも２枚のプラスチック板が貼着された環状積層体からなるので、耐衝撃性や耐久性に優れていると共に、２枚のプラスチック板のうち少なくともいずれか一方が透明プラスチック板であるので、透明プラスチック板を通して２枚のプラスチック板の間に設けた平面模様、凹凸模様、色彩又はこれらの結合からなるデザイン部を透視でき、デザイン性に優れたものとすることができる。２枚のプラスチック板の間、又はこれら２枚のプラスチック板の間に設けられた中間層（単層体又は複層体）のうちの何れかの間に、桜の花やトンボ等の絵柄、格子縞や網目等の図柄、家紋、定紋、社章、校章、徽章、文字、格言、氏名、商標等を平面的に、あるいは、凹凸をもって立体的に表わした多種多様な模様を施すことが可能である。
【００３４】
しかも、本発明の竹刀用又は木刀用の鍔において、プラスチック板又は中間層のうち何れかの間に施されたデザイン部は、鍔の内部にあるため稽古中の竹刀による打撃や摩擦によって磨耗、消滅するおそれが無い。また、本発明の竹刀用又は木刀用の鍔は、プラスチック板が軽量で耐衝撃性に優れているので、競技用、稽古用として有用であり、更に、古来皮鍔の雰囲気を継承した競技用と稽古用に使い分けも可能であり、稽古時の気分転換等の効果も有する。
【発明を実施するための最良の形態】
【００３５】
以下、添付図面に示す実施例に基いて、本発明の好適な実施の形態を具体的に説明する。
【実施例１】
【００３６】
図１は、本発明の実施例１に係る竹刀用の鍔の説明図であり、図１（Ａ）は、この竹刀用の鍔を構成する環状積層体１の構成を示す分解図であり、図１（Ｂ）は、この竹刀用の鍔を構成する環状積層体１の側面図であり、図１（Ｃ）は、この竹刀用の鍔を構成する環状積層体１の上面図である。
【００３７】
本実施例１の竹刀用の鍔を構成する環状積層体１は、厚さ３mmのＰＣ透明板２を片面のプラスチック板とし、反対面に同じく等厚で等質のＰＣ透明板３によるプラスチック板を配して、中間に透明なＥＶＡ系熱接着性フィルム４を挟み、加熱・加圧して一体化した成形物（積層板）の外形を円形に切削形成し、中央部に竹刀の柄部を通す貫通孔７を穿孔形成したものであって、総厚は６mmである。
【００３８】
また、上記環状積層体１は、予め、片面にエンボス状の凹凸模様８が形成されたＰＣ透明板２の貼り合せ面５に絵柄とする平面模様６をシルク印刷により形成しておき、当該ＰＣ透明板２、印刷してないＰＣ透明板３及び厚さ２５０μmの熱接着性フィルム４の各々を１００mm×１００mmの大きさに調整し、図１（Ａ）の如くの順番に重ね、これらを上下２枚のクッション材に挟み、上下に熱板を備えたプレス装置（これらは図示せず）に狭持し、１０５℃、０．５MPaの条件にて加熱・加圧した後、冷却して取り出し、図１（Ｂ）の如くに積層一体化したものである。その後、ＮＣルーター加工機により外径９０mm、内径３０mmの大きさに切削加工して得たものである。
【００３９】
このようにして形成された環状積層体１は、図１（Ｃ）に示すように、その上面からは平面模様６を視認することができ、これはＰＣ透明板２の貼り合せ面５に印刷された平面模様６がＰＣ透明板２を通して上面（ＰＣ透明板２側）から透視されていることを示す。また、表裏両面のＰＣ透明板２及び３の外側面の表面には微細な凹凸模様８が形成されているため、光を乱反射させることによって環状積層体１の表面に艶消し効果をもたらしている。
【００４０】
ここで、表面の凹凸模様はあっても無くてもよく、また、片面のプラスチック板にだけ設けることでもよい。更に、ＰＣ透明板２の貼り合せ面５に平面模様６を印刷する代わりに、ＰＣ透明板３の貼り合せ面９に平面模様６を印刷してもよく、更には、金銀の紋様等の平面模様を印刷したシールを、ＰＣ透明板２の貼り合せ面５又はＰＣ透明板３の貼り合せ面９に貼り付けることもできる。そして更に、このようなデザインは、ＰＣ透明板２、３の貼り合せ面５，９の両方に施すことでもよい。
【００４１】
本実施例１では、ＰＣ透明板２及び３は透明板を用いているが、少なくとも片面、すなわちＰＣ透明板３を着色した不透明板３によるプラスチック板に代えることもできる。このとき、着色不透明板３の貼り合せ面９に平面模様６を印刷してもよく、反対側のＰＣ透明板２及び熱接着性フィルム４が透明であるので、平面模様６は同様に表面から透視できる。
【００４２】
更に、ＰＣ透明板３を茶系の色彩に着色したり、ＰＣ透明板３の貼り合せ面９若しくは熱接着性フィルム４に茶系の色彩加工を施すこと等により、片面を皮鍔の雰囲気とし、他の面では平面模様６が透視できる、すなわち、表裏両面が異なるデザインの鍔とすることもでき、表裏で使い分け可能な鍔となる。
【００４３】
また、平面模様６の実施方法は、シルク印刷、昇華印刷、筆書き等任意の模様形成手段を適用できる。また、平面模様６はプラスチック板の貼り合せ面に施してもよく、あるいは、昇華印刷であれば、ＰＣ透明板の貼り合せ面とは反対側の外側面の表面に印刷することも可能である。平面模様６をシルク印刷で形成する場合には、被印刷物適性に優れた印刷インクを選定するのがよく、本実施例ではポリカーボネート樹脂対応のシルク印刷インキを使用して、ソルベントクラックの可能性を最小にしたシルク印刷を適用した。
【００４４】
更に、本実施例１では、表裏のプラスチック板をＰＣ透明板としているが他の材料、例えば、ＡＢＳ樹脂板を片側に用いることも可能であり、この場合には線膨張係数等の違いから来る反りを考慮して厚みを変えることが好ましく、すなわち、異質で異厚の構成としてもよい。また、熱接着性フィルム４としては、例えばウレタン系熱接着性フィルムでもよく、更に、エポキシ系接着剤、ゴム糊、ホットメルト接着剤、皮革用糊、木工ボンド等の接着剤も適宜選択して利用できる。
【００４５】
更にまた、本発明の竹刀用の鍔を構成する環状積層体１に用いるプラスチック板の厚みは３mmに限られることは無く、従って総厚は６mmに限られず、総厚で３mmから１２mmの範囲が望ましく、総厚が４mmから８mmの範囲であれば、重量が軽く剛性を保つ上でのバランス面でより好ましい。また、外周縁部及び貫通孔７の縁部に適宜にＲ面取加工を施すことが望ましく、環状積層体１の耐久性向上と、竹刀の柄皮の保護に効果がある。上記を含めたこれらのことは、以下の実施例にも共通することである。
【実施例２】
【００４６】
図２は、本発明の実施例２に係る竹刀用の鍔を構成する環状積層体１０の説明図であって、図２（Ａ）は、この竹刀用の鍔を構成する環状積層体１０の構成を示す分解図であり、図２（Ｂ）は、この竹刀用の鍔を構成する環状積層体１０の側面図である。
【００４７】
本実施例２の環状積層体１０では、２枚の厚さ３mmの透明アクリル樹脂板１１及び１２をプラスチック板とし、その層間に中間層を設けた例であり、中間層１３としては厚さ１．３mmの人工皮革であるクラリーノ（商品名）を設けてある。人工皮革による中間層１３とアクリル樹脂板１１及び１２との間には、夫々厚さ２００μmで透明なアクリル樹脂系の熱接着性フィルム１４が介在し、実施例１と同様にして、加熱・加圧によって一体化された竹刀用のの鍔を構成する環状積層体１０である。
【００４８】
本実施例２では、透明アクリル樹脂板１１及び１２を通して人工皮革の模様及び色彩が透視できるようになっている。表裏両面のプラスチック板が等厚、等質に構成されているので反り返ることのない平滑な環状積層体１０が得られる。また、アクリル樹脂板１１及び１２の外側面には実施例１と同様の微細な凹凸模様（図示せず）を施してあるため光の反射が無く、また、中間層１３が茶系色彩の人工皮革であるため、成形物たる環状積層体１０の外観は天然皮革の雰囲気を伝える鍔が得られる。また、アクリル樹脂板１１又は１２の貼り合せ面に実施例１と同様なデザイン模様を印刷したり、金銀の紋様等の平面模様を印刷したシールを付することもでき、更に、これらの印刷、シール付与等のデザインを中間層１３の貼り合せ面に施すようにしてもよく、皮鍔の雰囲気を保ちながら多様なデザインを付与することができ、両面使い分け可能な鍔とすることもできる。
【００４９】
また、中間層１３としては天然皮革を用いることもでき、あるいは、天然皮革と人工皮革を重ね合わせて用いたり、色調の異なる皮革同士を重ね合わせて用いたりすることによって、表裏の雰囲気の異なる鍔を得られる効用もある。更に、中間層１３は、天然皮革、若しくは人工皮革を所望の形状（例えば四角形等）に型抜き切除した型抜き片１５を形成し、その抜き後の空白部分に、色調、あるいは種類の異なる同じ形状の皮革１６を嵌めこんだものを中間層１３とすることもできる。図２（Ｃ）は、この例を採用した場合の環状積層体１０の上面図である。更に、皮革１６を他の色彩、模様を持つ異種材料としてもよく、皮鍔の雰囲気を保持しながら多様なデザインが演出できる。
【００５０】
更に、中間層１３の貼り合せ面となる表面に文字、あるいは、家紋等の紋様を描くこともできる。あるいは、中間層１３として、平面模様を印刷した布地、プラスチック板、プラスチックフィルム、合成紙、織布、不織布等を用いること、またこれらを重ね合わせて用いること等自在に適用でき、夫々、雰囲気の異なる鍔を多様に得られる利点がある。そしてまた、実施例１の如く中間層１３を挟む表裏のプラスチック板の貼り合せ面に平面模様を印刷することも併せて適用してもよく、更に加えて、鍔の外側面の表面に平面模様を昇華印刷することも適用できる。また、ここで、透明アクリル樹脂板１１及び１２に代えて、それぞれＰＣ透明板を採用してもよく、更に、熱接着性フィルム１４をＥＶＡ系の熱接着性フィルムとして、実施例１と同様の部材を適用してもよい。
【実施例３】
【００５１】
図３は、本発明に係る実施例３の竹刀用の鍔を構成する環状積層体２０の説明図であって、図３（Ａ）は、この竹刀用の鍔を構成する環状積層体２０の構成を示す分解図であり、図３（Ｂ）は、この竹刀用の鍔を構成する環状積層体２０の側面図である。
【００５２】
本実施例３の環状積層体２０は、外側面を艶消し状態にした２枚のプラスチック板とする３mm厚さのＰＣ透明板２１及び２２の層間に、中間層２８として、厚さ０．８mmの天然牛皮２３及び平面模様２５が印刷された織布２４を配し、夫々の層間に実施例１で使用した透明なＥＶＡ系熱接着性フィルム２６を配し、実施例１と同様に加熱・加圧して一体化して得られた竹刀用の鍔を構成する環状積層体２０である。
【００５３】
本実施例３では、ＰＣ透明板２１を通して天然牛皮２３の平面模様と色彩を透視でき、また、ＰＣ透明板２２を通して織布２４の平面模様２５と色彩を透視できるようになっている。また、本実施例３の環状積層体２０の片面では皮革の雰囲気、他方の面では織布２４による異なる平面模様を楽しめる面白さを兼ね備え、両面で使い分け使用のできる鍔となる利点がある。更に、本実施例３の環状積層体２０では、比較的薄手（約０．３mm）の綿布に捺染印刷を施した平面模様入の織布２４を使用しているが、例えば、ナイロン、ビニロン、ポリエステル等の繊維織布に昇華印刷を施した織布を用いることもできる。
【実施例４】
【００５４】
図４は、本発明に係る実施例４の竹刀用の鍔を構成する環状積層体３０の説明図であって、図４（Ａ）は、この竹刀用の鍔を構成する環状積層体３０の構成を示す分解図であり、図４（Ｂ）は、この竹刀用の鍔を構成する環状積層体３０の側面図である。
【００５５】
本実施例４の環状積層体３０は、実施例３の環状積層体２０の変形例であって、外側面を艶消し状態にした２枚のプラスチック板である３mm厚さのＰＣ透明板３１及び３２の層間に、中間層３８として、厚さ１００μmで無地の合成紙３３及び厚さ０．８mmで茶系色彩の人工皮革３４（クラリーノ（商品名））を配し、夫々の層間に実施例３と同様のＥＶＡ系熱接着性フィルム３５を配し、実施例３と同様に加熱・加圧して一体化した竹刀用の鍔を構成する環状積層体３０である。
【００５６】
本実施例４では、ＰＣ透明板３１の、無地の合成紙３３に接する側の貼り合せ面３７には平面模様３６が実施例１と同様にシルク印刷されている。そのため、ＰＣ透明板３１を通して平面模様３６を透視でき、ＰＣ透明板３２を通して人工皮革３４の模様と色彩を透視できるようになっている。
【００５７】
本実施例４の環状積層体３０の片面では皮革の雰囲気、他方の面では異なる平面模様を楽しめる面白さを兼ね備えた鍔となり、これも両面で使い分けができる利点がある。ここで、平面模様３６は、合成紙３３のＰＣ透明板３１側の貼り合せ面に印刷を施すことでもよく、印刷適正に優れた合成紙３３であれば能率よく平面模様３６の印刷が行える利点がある。
【実施例５】
【００５８】
図５は、本発明に係る実施例５の竹刀用の鍔を構成する環状積層体４０の説明図であって、図５（Ａ）は、この竹刀用の鍔を構成する環状積層体４０の構成を示す分解図であり、図５（Ｂ）は、この竹刀用の鍔を構成する環状積層体４０の側面図である。
【００５９】
本実施例５の環状積層体４０は、実施例４の環状積層体３０の変形例であって、外側面を艶消し状態にした２枚のプラスチック板である３mmの厚さのＰＣ透明板４１及び４２の層間に、中間層４８として、実施例３と実施例４で各々使用したと同様の無地の織布４３及び人工皮革４４（クラリーノ（商品名））を配し、夫々の層間に実施例４で使用したＥＶＡ系熱接着性フィルム４５を配し、他の実施例と同様に加熱・加圧して一体化した竹刀用の鍔を構成する環状積層体４０である。
【００６０】
本実施例５では、無地の織布４３に接する側のＰＣ透明板４１の外側面４７には、平面模様４６が昇華印刷により形成されているところが他の実施例と異なる。そして、ＰＣ透明板４１を通して平面模様４６の背後に無地の織布４３の色彩を透視でき、ＰＣ透明板４２を通して人工皮革４４の模様と色彩を透視できるようになっている。
【００６１】
本実施例５の環状積層体４０の片面には皮革の雰囲気があり、また、他方の面の平面模様は、外面ではあるが昇華印刷によってＰＣ透明板４１に若干浸透して染着した平面模様４６が形成されているので、耐摩滅性に富んだデザインを楽しめる面白さを兼ね備えた、両面で使い分け使用ができる環状積層体４０である。
【００６２】
ここで、ＰＣ透明板４１に施す昇華印刷については、予め、別個の白色紙上に昇華性インキによる所望の色彩平面模様４６をオフセット印刷により印刷した昇華印刷紙を作製しておき、ＰＣ透明板４１の外側面４７上に昇華印刷紙の印刷面が当接するよう載置し、昇華印刷紙がずれない範囲の加圧下で加熱することにより、昇華印刷紙上の昇華性インキの染料成分が昇華してＰＣ透明板４１の外側面４７表面から内部に浸透して形成された平面模様４６を得たものである。その後、当該昇華印刷紙を取り除くことで、平面模様４６は、ＰＣ透明板４１の外側面４７に、塗膜を形成することなく、概ね０．５mm程度の深さまで浸透した、耐摩耗性にきわめて優れた平面模様４６を得たものである。
【００６３】
また、昇華印刷は、昇華印刷紙を事前に能率よく作製しておきさえすれば、シルク印刷等の印刷環境と比較して溶剤等の揮発性の成分を使用しないため、作業環境を良好に保つことができる上、ＰＣ透明板等のプラスチック板に与えるストレスクラック等を防止できる利点がある。更に、本実施例では、ＰＣ透明板４１の外側面４７上に昇華印刷紙を更に載置して全体を加熱・加圧することによって、積層一体化と同時にＰＣ透明板４１に昇華印刷を施すこともでき、作業性を簡素化できる効果もある。
【実施例６】
【００６４】
図６は、本発明に係る実施例６の竹刀用の鍔を構成する環状積層体５０の説明図であって、図６（Ａ）は、この竹刀用の鍔を構成する環状積層体５０の構成を示す分解図であり、図６（Ｂ）は、この竹刀用の鍔を構成する環状積層体５０の側面図であり、図６（Ｃ）は、この竹刀用の鍔を構成する環状積層体５０の上面図である。
【００６５】
本実施例６の環状積層体５０は、外側面を艶消し状態にした２枚の２mm厚のＰＣ透明板５１及び５２の層間に、中間層６０として２枚の１mm厚さのアクリル樹脂板５３、５５及びそれらの間に実施例５と同様の人工皮革５４を配し、夫々の層間に実施例５と同様のＥＶＡ系熱接着性フィルム５６を配し、他の実施例と同様に加熱・加圧して一体化した竹刀用の鍔を構成する環状積層体５０である。
【００６６】
本実施例６では、アクリル樹脂板５３の、人工皮革５４に貼着される側の貼り合せ面５８には家紋の平面模様５７がシルク印刷されている。ＰＣ透明板５１及びアクリル樹脂板５３を通して、あたかも人工皮革５４上に付された家紋の如く、この家紋の平面模様５７を透視できるようになっている（図６（Ｃ））と共に、ＰＣ透明板５２及びアクリル樹脂板５５を通して人工皮革５４の模様又は色彩を透視できるようになっている。そのため、本実施例６の環状積層体５０は、あたかも古来の皮鍔に家紋を付した様な雰囲気を持ちながら、皮鍔ではなし得なかった、家紋の消滅耐久性を持つ鍔とする利点がある。
【００６７】
また、家紋の平面模様５７は、定紋、校章、社章、徽章等の紋様に代えることもでき、更に、格言、記念名、氏名、等の文字を印刷することでもよい。
【００６８】
ここで、本実施例６の環状積層体５０では、耐溶剤性の透明樹脂板（アクリル樹脂板５３）の、人工皮革５４に貼着する側の面に紋様がシルク印刷されているが、耐溶剤性の透明樹脂板（アクリル樹脂板５３）の、透明プラスチック板（ＰＣ透明板５１）に貼着する側の面に紋様をシルク印刷することも可能である。更に、耐溶剤性樹脂板（アクリル樹脂板５３）として不透明な耐溶剤性樹脂板に代えることも可能であるが、その場合には、透明プラスチック板（ＰＣ透明板５１）に貼着する側の面にシルク印刷するとよい。
【００６９】
また、本実施例６の環状積層体５０では、中間層６０は２枚のアクリル樹脂板５３、５５及びそれらの間の人工皮革５４から構成されている。中間層として皮鍔の雰囲気を持たせるものであれば、人工皮革５４に代えて、天然皮革、皮革模様を施したプラスチック板、同フィルム、織布、不織布等でもよい。また、ここでは、反りを防止する為に、２枚のアクリル樹脂板５３、５５を対称に配したが、シルク印刷しない方のアクリル樹脂板５５は、シルク印刷されたアクリル樹脂板５３とは材質が異なるものでもよく、不透明の着色板であってもよく、また、外層の２枚のＰＣ透明板５１及び５２が等質、等厚に形成されているため、場合によっては省略することもできる。
【００７０】
また、本実施例等の場合、平面模様５７の代りとして、人工皮革５４の貼り合せ面上に、シルク印刷をしたり、金銀の紋様等の平面模様を印刷したシールを貼ったりすることでもよいが、これらの場合は層間に介在する接着剤の影響で若干鮮明さに欠けるマイナス面があるため、これらのデザイン模様を付する場合には、できるだけ外側面方向の外側面近くに施すことが、細かい模様等を鮮明にさせるうえで好ましい。
【実施例７】
【００７１】
図７は、本発明に係る実施例７の竹刀用の鍔を構成する環状積層体６０の説明図であって、図７（Ａ）は、この竹刀用の鍔を構成する環状積層体６０の構成を示す分解図であり、図７（Ｂ）は、この竹刀用の鍔を構成する環状積層体６０の側面図であり、図７（Ｃ）は、この竹刀用の鍔を構成する環状積層体６０の上面図である。
【００７２】
本実施例７の環状積層体６０は、外側面に艶消し効果を有する凹凸模様（図示せず）を設けた２枚の３mm厚さのＰＣ透明板６１及び６２の層間に、中間層７０として、ロゴマークの平面模様６７を印刷した厚さ１００μmのポリエチレンテレフタレート樹脂製のフィルム６３と、トンボの絵柄模様６８が昇華印刷された厚さが概ね０．４mmのポリエステル繊維製の織布６４と、実施例６で使用した茶系色彩の人工皮革６５を配設して、夫々の層間に実施例６と同様のＥＶＡ系熱接着性フィルム６６を配し、他の実施例と同様に加熱・加圧して一体化した竹刀用の鍔を構成する環状積層体６０である。
【００７３】
本実施例７は、実施例６の変形例でもあり、特に２種類の平面模様６７及び平面模様６８を設けた点で他の実施例と異なる。平面模様６７は、実施例６のような耐溶剤性樹脂板であるフィルム６３にシルク印刷を施したものであり、また、平面模様６８は、実施例５のような昇華印刷適正に優れた織布６４に昇華印刷を施した例である。この例では、図７（Ｃ）に示す如く、片面のＰＣ透明板６１を透して平面模様６７と平面模様６８の両方ともが透視できるようになっていると共に、図示されない片面のＰＣ透明板６２側では、茶系の色彩を持つ人工皮革６５の色彩と模様が透視でき、片面が古来の皮鍔の雰囲気を持ち、他面に絵柄模様と文字模様を持つデザイン感覚に優れた環状積層体６０となっている。そのため、華美な装飾を嫌う競技等の試合では皮鍔デザイン面を対戦相手に向けて使用し、競技以外の稽古等では楽しい絵柄模様のデザイン面を対戦相手に向けて装着して、鍔の使い分けができるようになっている。
【００７４】
また、本実施例７では、平面模様６７について、例えば、オプションによる使用者の名前等とすることもでき、ベースの絵柄模様６８をそのままにして、平面模様６７を付した薄いフィルム６３を変更するだけで、容易にオプション対応ができる利点がある。
【００７５】
また、フィルム６３に施す平面模様６７は、シルク印刷等の公知の印刷模様のほか、例えば粘着材が塗布された印刷シールを貼付けることでもよい。この場合、フィルム６３はこの部分の平滑性が失われ盛り上がることになるが（印刷塗膜の場合も同様である）、熱可塑性の熱接着性フィルム６６は、加熱・加圧により一旦溶融流動してこれらの凹凸段差を平準化するため、空隙部をなくした優れた接着力と耐久性を得ることができる。
【００７６】
更に、平面模様６７を付したフィルム６３は、ＰＣ透明板６２と人工皮革６５との間に熱接着性フィルム６６を介在させて設けてもよく、その結果、実施例６の如く皮鍔デザイン面に文字、家紋等を設けることができるようになる。また同様に、平面模様６７を付したフィルム６３は、ベースデザインとする織布６４と人工皮革６５の両面に配置することでもよく、環状積層体６０のデザイン性を容易で任意に向上させることができる。
【００７７】
更に、本実施例７では、両面のＰＣ透明板６１及び６２の外側面の表面には、メラミン樹脂によるハードコート処理を施しているため、稽古、試合を問わず発生する表面の擦り傷に対しての傷付き防止の効果があり、これらのデザイン模様が長期間透視できる性能を具備させることができる。
【産業上の利用可能性】
【００７８】
本発明の竹刀用又は木刀用の鍔は、従来の竹刀等の鍔が有する種々の問題点を解消し、耐衝撃性や耐久性に富むと共に、使用中に摩滅することのない種々の紋様を施すことが可能で、基本的に非常に地味で厳格な剣道様式の中に、若干の楽しみや個性を持たせることができるだけでなく、更には、必用により剣道人が最も好む皮鍔の雰囲気を継承することもできるので、剣道の普及に役立つものであり、その工業的価値も高いものである。
【図面の簡単な説明】
【００７９】
【図１（Ａ）】図１（Ａ）は、本発明の実施例１に係る竹刀用の鍔を構成する環状積層体の説明図であって、この環状積層体の構成を示す分解図である。
【図１（Ｂ）】図１（Ｂ）は、図１（Ａ）の環状積層体の側面図である。
【図１（Ｃ）】図１（Ｃ）は、図１（Ａ）の環状積層体の上面図である。
【００８０】
【図２（Ａ）】図２（Ａ）は、本発明の実施例２に係る竹刀用の鍔を構成する環状積層体の説明図であって、この環状積層体の構成を示す分解図である。
【図２（Ｂ）】図２（Ｂ）は、図２（Ａ）の環状積層体の側面図である。
【図２（Ｃ）】図２（Ｃ）は、図２（Ａ）の環状積層体の上面図である。
【００８１】
【図３（Ａ）】図３（Ａ）は、本発明の実施例３に係る竹刀用の鍔を構成する環状積層体の説明図であって、この環状積層体の構成を示す分解図である。
【図３（Ｂ）】図３（Ｂ）は、図３（Ａ）の環状積層体の側面図である。
【００８２】
【図４（Ａ）】図４（Ａ）は、本発明の実施例４に係る竹刀用の鍔を構成する環状積層体の説明図であって、この環状積層体の構成を示す分解図である。
【図４（Ｂ）】図４（Ｂ）は、図４（Ａ）の環状積層体の側面図である。
【００８３】
【図５（Ａ）】図５（Ａ）は、本発明の実施例５に係る竹刀用の鍔を構成する環状積層体の説明図であって、この環状積層体の構成を示す分解図である。
【図５（Ｂ）】図５（Ｂ）は、図５（Ａ）の環状積層体の側面図である。
【００８４】
【図６（Ａ）】図６（Ａ）は、本発明の実施例６に係る竹刀用の鍔を構成する環状積層体の説明図であって、この環状積層体の構成を示す分解図である。
【図６（Ｂ）】図６（Ｂ）は、図６（Ａ）の環状積層体の側面図である。
【図６（Ｃ）】図６（Ｃ）は、図６（Ａ）の環状積層体の上面図である。
【００８５】
【図７（Ａ）】図７（Ａ）は、本発明の実施例７に係る竹刀用の鍔を構成する環状積層体の説明図であって、この環状積層体の構成を示す分解図である。
【図７（Ｂ）】図７（Ｂ）は、図７（Ａ）の環状積層体の側面図である。
【図７（Ｃ）】図７（Ｃ）は、図７（Ａ）の環状積層体の上面図である。
【符号の説明】
【００８６】
１、１０、２０、３０、４０、５０、６０…鍔、２、１１、２１、３１、４１、５１、６１…透明プラスチック板、３、１２、２２、３２、４２、５２、６２…プラスチック板、４、１４、２６、３５、４５、５６、６６…熱接着性フィルム、５、９、３７、５８…貼り合せ面、６、２５、３６、５７、６７、６８…平面模様、７…貫通孔、１３、２８、３８、４８、６０、７０…中間層。
【図１（Ａ）】
0004750587.tif 000002
【図１（Ｂ）】
0004750587.tif 000003
【図１（Ｃ）】
0004750587.tif 000004
【図２（Ａ）】
0004750587.tif 000005
【図２（Ｂ）】
0004750587.tif 000006
【図２（Ｃ）】
0004750587.tif 000007
【図３（Ａ）】
0004750587.tif 000008
【図３（Ｂ）】
0004750587.tif 000009
【図４（Ａ）】
0004750587.tif 000010
【図４（Ｂ）】
0004750587.tif 000011
【図５（Ａ）】
0004750587.tif 000012
【図５（Ｂ）】
0004750587.tif 000013
【図６（Ａ）】
0004750587.tif 000014
【図６（Ｂ）】
0004750587.tif 000015
【図６（Ｃ）】
0004750587.tif 000016
【図７（Ａ）】
0004750587.tif 000017
【図７（Ｂ）】
0004750587.tif 000018
【図７（Ｃ）】
0004750587.tif 000019